(57)【要約】【課題】所定の画像データに対する画像処理によりレジストレーションマークの理論位置を自動的に得ること。【解決手段】既に印刷が施された基材に対してさらにコーティング印刷を行なうことが可能な印刷装置を含む印刷システムであって、レジストレーションマークを含むと想定されるレジスト画像データを画像処理することによってレジストレーションマークの理論位置データを生成する生成手段と、搬送されてくる用紙にあらかじめ印刷されているレジストレーションマークの位置を読み取って読取位置データを取得する取得手段と、前記理論位置データと前記読取位置データとを比較し、その位置のずれに基づいて、コーティング印刷の位置を補正する印刷制御手段と、を備えた印刷システム。【選択図】  図１
2019111813.tif 000002
【特許請求の範囲】
【請求項１】
既に印刷が施された基材に対してさらにコーティング印刷を行なうことが可能な印刷装置を含む印刷システムであって、
レジストレーションマークを含むと想定されるレジスト画像データを画像処理することによってレジストレーションマークの理論位置データを生成する生成手段と、
搬送されてくる用紙にあらかじめ印刷されているレジストレーションマークの位置を読み取って読取位置データを取得する取得手段と、
前記理論位置データと前記読取位置データとを比較し、その位置のずれに基づいて、コーティング印刷の位置を補正する印刷制御手段と、
を備えた印刷システム。
【請求項２】
前記レジスト画像データは、前記コーティング印刷の前にあらかじめ印刷される下地画像を表わす下地画像データである請求項１に記載の印刷システム。
【請求項３】
前記下地画像データは、あらかじめレジストレーションマークが配されたテンプレート画像データに対して、下地として印刷すべき画像データを追加したデータであることを特徴とする請求項２に記載の印刷システム。
【請求項４】
前記レジスト画像データは、前記コーティング印刷の対象となるコーティング画像を表わす上地画像データである請求項１に記載の印刷システム。
【請求項５】
前記上地画像データは、あらかじめレジストレーションマークが配されたテンプレート画像データに対して、前記コーティング印刷の対象となるコーティング画像を追加したデータであることを特徴とする請求項４に記載の印刷システム。
【請求項６】
前記レジスト画像データは、あらかじめレジストレーションマークが配されたテンプレート画像データであることを特徴とする請求項１に記載の印刷システム。
【請求項７】
前記レジスト画像データは、前記コーティング印刷の対象となるコーティング画像を表わす上地画像データから生成されたインク吐出データである請求項１に記載に記載の印刷システム。
【請求項８】
前記生成手段は、ブロブ解析法、特徴点抽出法、明暗比較法、パターンマッチング、形状寸法演算比較法のいずれかに１つを含む画像処理を行うことによって、レジスト画像データからレジストレーションマークの理論位置データを抽出する請求項１乃至５のいずれか１項に記載の印刷システム。
【請求項９】
前記形状寸法演算比較法とは、レジストレーションマークらしい画像の面積および外周長を求めることにより、レジストレーションマークか否かを判定する方法である請求項８に記載の印刷システム。
【請求項１０】
前記生成手段は、レジストレーションマークらしい画像の重心を求めてレジストレーションマークの理論位置を数値として導き出す請求項８または９に記載の印刷システム。
【請求項１１】
前記レジストレーションマークは、幾何学形状を有する外形の内部に、特徴的形状を含むマークである請求項１乃至１０のいずれか１項に記載の印刷システム。
【請求項１２】
前記レジストレーションマークは、３６０度未満の所定角度回転させた場合に、回転前の元のマークと重なるマークである請求項１乃至１１のいずれか１項に記載の印刷システム。
【請求項１３】
前記レジストレーションマークの抽出のための画像処理を行う方向および範囲を自動認識する機能をさらに備える請求項１乃至１２のいずれかに１項に記載の印刷システム。
【請求項１４】
前記生成手段は、
前記レジスト画像データを２値化した後、輪郭抽出処理を行ない、抽出した外形輪郭の面積と外周長との関係性が所定の関係になっているかを判定する外形輪郭判定手段と、
前記面積と外周長との関係性が所定の関係になっている場合に、明暗比較法によるパターンマッチングを用いて、前記外形輪郭内に所定の特徴的形状が含まれるかを判定する内部形状判定手段と、
を備えた請求項１乃至１３のいずれか１項に記載に記載の印刷システム。
【請求項１５】
前記印刷制御手段は、前記生成手段により生成されたレジストレーションマークの前記理論位置のうち、縦方向または横方向で対向する対向辺近傍に、一対のレジストレーションマークが存在している場合に、前記読取位置データとの比較の対象とする請求項１乃至１４のいずれか１項に記載に記載の印刷システム。
【請求項１６】
前記印刷装置は、搬送されてくる用紙を撮像する撮像手段を備え、
前記印刷制御手段は、前記生成手段により生成されたレジストレーションマークの前記理論位置のうち、縦方向または横方向で対向する対向辺近傍に、一対のレジストレーションマークが存在している場合に、その理論位置を前記撮像手段による撮像位置とする請求項１乃至１５のいずれか１項に記載の印刷システム。
【請求項１７】
既に印刷が施された基材に対してさらにコーティング印刷を行なうことが可能な印刷装置を制御する情報処理装置であって、
レジストレーションマークを含むと想定されるレジスト画像データを画像処理することによってレジストレーションマークの理論位置データを生成する生成手段と、
搬送されてくる用紙にあらかじめ印刷されているレジストレーションマークの位置を読み取って読取位置データを取得する取得手段と、
前記理論位置データと前記読取位置データとを比較し、その位置のずれに基づいて、コーティング印刷の位置を補正する印刷制御手段と、
を備えた情報処理装置。
【請求項１８】
既に印刷が施された基材に対してさらにコーティング印刷を行なうインクジェット記録装置であって、
レジストレーションマークを含むと想定されるレジスト画像データを画像処理することによってレジストレーションマークの理論位置データを生成する生成手段と、
搬送されてくる用紙にあらかじめ印刷されているレジストレーションマークの位置を読み取って読取位置データを取得する取得手段と、
前記理論位置データと前記読取位置データとを比較し、その位置のずれに基づいて、コーティング印刷の位置を補正する印刷制御手段と、
を備えたインクジェット記録装置。
【請求項１９】
既に印刷が施された基材に対してさらにコーティング印刷を行なうことが可能な印刷装置を制御する制御方法であって、
レジストレーションマークを含むと想定されるレジスト画像データを画像処理することによってレジストレーションマークの理論位置データを生成する生成工程と、
搬送されてくる用紙にあらかじめ印刷されているレジストレーションマークの位置を読み取って読取位置データを取得する取得工程と、
前記理論位置データと前記読取位置データとを比較し、その位置のずれに基づいて、コーティング印刷の位置を補正する位置補正工程と、
を含む印刷制御方法。
【請求項２０】
既に印刷が施された基材に対してさらにコーティング印刷を行なうことが可能な印刷装置を制御する印刷制御プログラムであって、
レジストレーションマークを含むと想定されるレジスト画像データを画像処理することによってレジストレーションマークの理論位置データを生成する生成工程と、
搬送されてくる用紙にあらかじめ印刷されているレジストレーションマークの位置を読み取って読取位置データを取得する取得工程と、
前記理論位置データと前記読取位置データとを比較し、その位置のずれに基づいて、コーティング印刷の位置を補正する位置補正工程と、
をコンピュータに実行させる印刷制御プログラム。
【発明の詳細な説明】
【技術分野】
【０００１】
本発明は、印刷システム、情報処理装置、インクジェット記録装置、印刷制御方法、印刷制御プログラムに関する。
【背景技術】
【０００２】
特許文献１には、下地画像と共に印刷されたレジストレーションマークを読み取り、レジストレーションマークの読取位置と、あらかじめ取得したレジストレーションマークの理論位置とのずれを検出し、重ね刷り用の上地画像の印刷位置を補正する技術が開示されている。
【先行技術文献】
【特許文献】
【０００３】
【特許文献１】特許５８２４７１２号
【発明の概要】
【発明が解決しようとする課題】
【０００４】
しかしながら、上記文献に記載の技術では、ユーザがレジストレーションマークの理論位置データを手入力する必要があり、手間がかかるという問題があった。
【０００５】
本発明の目的は、上述の課題を解決する技術を提供することにある。
【課題を解決するための手段】
【０００６】
上記目的を達成するため、本発明に係るシステムは、
既に印刷が施された基材に対してさらにコーティング印刷を行なうことが可能な印刷装置を含む印刷システムであって、
レジストレーションマークを含むと想定されるレジスト画像データを画像処理することによってレジストレーションマークの理論位置データを生成する生成手段と、
搬送されてくる用紙にあらかじめ印刷されているレジストレーションマークの位置を読み取って読取位置データを取得する取得手段と、
前記理論位置データと前記読取位置データとを比較し、その位置のずれに基づいて、コーティング印刷の位置を補正する印刷制御手段と、
を備えた。
【０００７】
上記目的を達成するため、本発明に係る装置は、
既に印刷が施された基材に対してさらにコーティング印刷を行なうことが可能な印刷装置を制御する情報処理装置であって、
レジストレーションマークを含むと想定されるレジスト画像データを画像処理することによってレジストレーションマークの理論位置データを生成する生成手段と、
搬送されてくる用紙にあらかじめ印刷されているレジストレーションマークの位置を読み取って読取位置データを取得する取得手段と、
前記理論位置データと前記読取位置データとを比較し、その位置のずれに基づいて、コーティング印刷の位置を補正する印刷制御手段と、
を備えた。
【０００８】
上記目的を達成するため、本発明に係る他の装置は、
既に印刷が施された基材に対してさらにコーティング印刷を行なうインクジェット記録装置であって、
レジストレーションマークを含むと想定されるレジスト画像データを画像処理することによってレジストレーションマークの理論位置データを生成する生成手段と、
搬送されてくる用紙にあらかじめ印刷されているレジストレーションマークの位置を読み取って読取位置データを取得する取得手段と、
前記理論位置データと前記読取位置データとを比較し、その位置のずれに基づいて、コーティング印刷の位置を補正する印刷制御手段と、
を備えた。
【０００９】
上記目的を達成するため、本発明に係る方法は、
既に印刷が施された基材に対してさらにコーティング印刷を行なうことが可能な印刷装置を制御する制御方法であって、
レジストレーションマークを含むと想定されるレジスト画像データを画像処理することによってレジストレーションマークの理論位置データを生成する生成工程と、
搬送されてくる用紙にあらかじめ印刷されているレジストレーションマークの位置を読み取って読取位置データを取得する取得工程と、
前記理論位置データと前記読取位置データとを比較し、その位置のずれに基づいて、コーティング印刷の位置を補正する位置補正工程と、
を含む。
【００１０】
上記目的を達成するため、本発明に係るプログラムは、
既に印刷が施された基材に対してさらにコーティング印刷を行なうことが可能な印刷装置を制御する印刷制御プログラムであって、
レジストレーションマークを含むと想定されるレジスト画像データを画像処理することによってレジストレーションマークの理論位置データを生成する生成工程と、
搬送されてくる用紙にあらかじめ印刷されているレジストレーションマークの位置を読み取って読取位置データを取得する取得工程と、
前記理論位置データと前記読取位置データとを比較し、その位置のずれに基づいて、コーティング印刷の位置を補正する位置補正工程と、
をコンピュータに実行させる。
【発明の効果】
【００１１】
本発明によれば、所定の画像データに対する画像処理によりレジストレーションマークの理論位置を自動的に得ることができる。
【図面の簡単な説明】
【００１２】
【図１】本発明の第１実施形態に係る印刷システムの構成を示すブロック図である。
【図２】本発明の第２実施形態に係る印刷システムの構成を示す図である。
【図３】本発明の第２実施形態に係る印刷システムによる印刷例を示す図である。
【図４】本発明の第２実施形態に係るインクジェット記録装置の内部構成を示す図である。
【図５】本発明の第２実施形態に係るインクジェット記録装置の要部の詳細を模式的に示す図である。
【図６】本発明の第２実施形態に係るインクジェット記録装置で用いられる下地画像およびレジストレーションマークが印刷された基材の一例を示す図である。
【図７】本発明の第２実施形態に係るインクジェット記録装置の要部の詳細を模式的に示す図である。
【図８】本発明の第２実施形態に係るインクジェット記録装置の電子制御部を中心とする電気的構成を示す概略図である。
【図９】本発明の第２実施形態に係るインクジェット記録装置を用いて印刷した印刷物の一例を示した図である。
【図１０】本発明の第２実施形態に係るインクジェット記録装置を用いて印刷した印刷物の一例を示した拡大図である。
【図１１】本発明の第２実施形態に係る情報処理装置の機能構成を示すブロック図である。
【図１２】本発明の第２実施形態に係る情報処理装置によって表示されるユーザインタフェースを示す図である。
【図１３Ａ】本発明の第２実施形態に係るレジストレーションマーク理論位置生成部が、レジスト画像データの部分部位を画像処理することによってレジストレーションマークの理論位置データを生成する流れを説明する図である。
【図１３Ｂ】本発明の第２実施形態に係る情報処理装置の処理の流れを説明するフローチャートである。
【図１４】本発明の第２実施形態に係る印刷システムの画像処理の流れを説明するフローチャートである。
【図１５】本発明の第３実施形態に係る印刷システムの画像処理の流れを説明するフローチャートである。
【図１６】本発明の第４実施形態に係るインクジェット記録装置の外観を示す図である。
【発明を実施するための形態】
【００１３】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１４】
［第１実施形態］
本発明の第１実施形態としての印刷システム１００について、図１を用いて説明する。印刷システム１００は、レジストレーションマークを用いた画像印刷を行なうインクジェット記録装置を制御するためのシステムである。
【００１５】
図１に示すように、印刷システム１００は、理論位置データ生成部１０１、読取位置データ取得部１０２、および印刷制御部１０３を含む。
【００１６】
理論位置データ生成部１０１は、レジストレーションマークが配された画像データを画像処理することによってレジストレーションマークの理論位置データを生成する。理論位置データは、レジストレーションマークが配された画像データ中の座標データ、またはベクトルデータおよびそれらを包含した配列または行列として構成される。
【００１７】
読取位置データ取得部１０２は、搬送されてくる用紙にあらかじめ印刷されているレジストレーションマークの位置を読み取って読み取り位置データを取得する。
【００１８】
印刷制御部１０３は、レジストレーションマークの理論位置データと読み取り位置データとを比較し、その位置のずれに基づいて、印刷位置を補正する。
【００１９】
以上の構成によれば、面倒な理論位置データの入力や埋め込みを行うことなく、画像データを入力するだけで、レジストレーションマークの理論位置を自動的に特定することができる。
【００２０】
［第２実施形態］
＜印刷システムの構成＞
次に本発明の第２実施形態に係る印刷システム２００について、図２以降を用いて説明する。まず、図２は、印刷システム２００の概略構成を示している。印刷システム２００は、情報処理装置２０１とインクジェット記録装置２０３とをネットワーク２０２を介して接続したシステムである。インクジェット記録装置２０３は、通常のインク以外に、活性エネルギー線硬化性インク（例えばいわゆる紫外線硬化インク、すなわちＵＶ（ultraviolet）インク）を用いて印刷を行なうことが可能な機構を有している。ユーザ２０４は、情報処理装置２０１がディスプレイ２０５に表示させた画面を用いて、ネットワーク２０２を介してインクジェット記録装置２０３を制御し、所望の画像記録を行なうことができる。
【００２１】
＜印刷物の構成＞
図３は、活性エネルギー線硬化性インクを用いて印刷した印刷物３００の斜視図である。図３に示されるように、印刷物３００は、紙などの基材３０３上に、下地画像３０２およびコーティングプリント画像３０１を施したものである。
【００２２】
活性エネルギー線硬化性インクによるコーティングプリント画像３０１（別名オーバープリント画像）は、インクジェット記録装置等を用いて基材３０３上に、垂直方向に盛り上った立体的形状を備えて形成される。ここでは、例として、コーティングプリント画像３０１は、アルファベットＤの形状を有している。図３に示されるように、コーティングプリント画像３０１は、何も印刷されていない基材３０３の表面に直接印刷されていてもよいし（３１０）、基材３０３にあらかじめ施された下地画像３０２の上に印刷されていてもよい（３２０）。
【００２３】
コーティングプリント画像３０１は、基材３０３を平面から視た場合において、下地画像３０２と略同一位置に同一形状に形成されてもよいし（３２０）、意図的に下地画像３０２とはずれた位置に異なる形状で形成されてもよい（３３０）。
【００２４】
このようなコーティングプリントによれば、基材に印刷された下地画像にマット感や、ツヤ感を加えて意匠的に際立たせるという効果の他、コーティングそのものの立体的な意匠によって、従来の平面的なプリントとは異なる美感を起こさせるという効果がある。
【００２５】
なお、基材３０３としては、普通紙、アート紙、写真紙、名刺用紙、はがき、コート紙、マットコート紙、上質紙、特殊紙等の印刷紙、ポリカーボネート、硬質塩ビニル、軟質塩ビニル、ポリスチレン、発砲スチロール、ＰＭＭＡ、ポリプロピレン、ポリエチレン、ＰＥＴなどのプラスチック基材、これらのプラスチック基材を貼り合わせたラミネートフィルム、これらのプラスチック基材を混合または変性させた材料、ガラス、ステンレスなどの金属基材、木材を例示することができるが、これに制限されるものではない。
【００２６】
また、活性エネルギー線としては、紫外線、電子線等を用いることができる。
【００２７】
＜インクジェット記録装置の構成＞
図４は、本実施形態のインクジェット記録装置２０３の内部を模式的に示す図である。インクジェット記録装置２０３は、例えば、あらかじめ下地画像が印刷された基材に対し、その下地画像にコーティングするように活性エネルギー線硬化性インクによるコーティングを形成するコーティング印刷処理を実行できる。また、インクジェット記録装置２０３は、印刷による画像形成がされていない基材に対しても、活性エネルギー線硬化性インクからなるコーティングを形成する処理を実行する。
【００２８】
インクジェット記録装置２０３は、搬送エレメント４０１、コーティング画像記録装置４０２およびスタッカ４０３を備える。搬送エレメント４０１は、基材テーブル４１１および基材供給機構４１２を有する。基材テーブル４１１には、別の電子写真式記録装置にてあらかじめ下地画像が印刷された基材が積載される。なお下地印刷は電子写真式に限らず、インクジェット式、オフセット式等、どのような印刷方式であってもよい。
【００２９】
基材テーブル４１１は、昇降可能に構成され、積載された基材のうち最上位に位置する基材が基材供給機構４１２によって供給される。このように、搬送エレメント４０１は、基材テーブル４１１、基材供給機構４１２を備えた基材を搬送する搬送エレメントである。
【００３０】
搬送エレメント４０１によって搬送される基材は、画像を記録することができる材料であれば、特に制限されるものではないが、紙、表面加工された紙等の用紙、プラスチック板、金属薄膜等を例示することができる。
【００３１】
基材供給機構４１２により送り出された基材は、搬送路４１３に沿って搬送される。搬送路４１３の下流側部分に沿ってコーティング画像記録装置４０２が設けられている。コーティング画像記録装置４０２には、搬送路４１３に沿って搬送された基材を搬送するベルト搬送機構４２１が設けられている。ベルト搬送機構４２１は、ベルトに形成された孔を通じたエアの吸引力によって基材を搬送面上に吸着しながら搬送する。ベルト搬送機構４２１の上方には、基材の搬送方向の上流側から画像読取装置４２２、インクジェットヘッドユニット４２３および活性エネルギー線照射装置４２４が設けられている。
【００３２】
コーティング画像記録装置４０２の下流側に排出路４２６が接続されている。ベルト搬送機構４２１から搬送された基材は、排出路４２６に送り込まれる。排出路４２６に送り込まれた基材は、スタッカ４０３に搬出される。スタッカ４０３は、搬送路４３１および基材蓄積部４３２を有する。排出路４２６から搬出された基材は、搬送路４３１を経て、基材蓄積部４３２に排出され蓄積される。
【００３３】
なお、変形例においては、搬送エレメント４０１に代えて、下地画像を印刷するためのプリンタをコーティング画像記録装置４０２に直接接続してもよい。また、スタッカ４０３に代えて、送り出される基材を切断したり、綴じたりする後処理を行う装置をコーティング画像記録装置４０２に接続してもよい。
【００３４】
インクジェット記録装置２０３は、また、電子制御部４０４を有する。電子制御部４０４は、各種演算処理を実行するＣＰＵ、各種制御プログラムを格納するＲＯＭ、データ格納やプログラム実行のためのワークエリアとして利用されるＲＡＭを有する。電子制御部４０４は、インクジェット記録装置２０３内に設けられたアクチュエータの作動などを制御する。これにより、基材に向けて、活性エネルギー線硬化性インクをインクジェットヘッドユニット４２３から吐出して、コーティング印刷処理を実行する。
【００３５】
同様に、電子制御部４０４は、印刷による画像形成がされていない基材に向けて、活性エネルギー線硬化性インクをインクジェットヘッドユニット４２３から吐出して、当該インクからなるコーティング層を形成する処理を実行する。
【００３６】
インクジェット記録装置２０３には、操作パネル４２７が設けられており、ユーザは、この操作パネル４２７を介した操作入力により、コーティング印刷処理の各種設定を行うことができる。なお、変形例においては、情報処理装置２０１のディスプレイ、マウス、キーボードを操作パネルとして機能させてもよく、その情報処理装置２０１を電子制御部４０４として機能させてもよい。
【００３７】
図５は、インクジェット記録装置２０３の要部であるコーティング画像記録装置４０２の詳細を模式的に示す図である。図５は、その側面図である。図５に示されるように、コーティング画像記録装置４０２は、ベルト搬送機構４２１の一部として、基材３０３を搬送する複数の搬送ローラ５２１を備える。
【００３８】
図６に示すとおり、基材３０３としては、下地画像３０２と、その下地画像の位置を特定するための基準となるレジストレーションマーク６０１とが印刷されているものを用意する。レジストレーションマーク６０１は、例えば径４ｍｍの丸の内部に十字を含むマークであり、基材３０３の両長辺に沿って一直線上に等間隔に配置され、短辺方向に対称位置に配置されている。
【００３９】
なおレジストレーションマーク６０１の形状は、これに限定されるものではなく、撮像しやすいサイズであって、何らかの幾何学形状を有する輪郭の内部に、何らかの特徴的形状を含むものが望ましい。例えば、丸の内部に三角、丸、米印が含まれているものが挙げられる。
【００４０】
レジストレーションマーク６０１は下地画像３０２と同時に印刷され、下地画像が印刷された基材３０３に含まれている。その基材３０３を撮像し、オブジェクト解析することによって、所定形状のレジストレーションマーク６０１が基材３０３のどこに位置しているのかを解析し、レジストレーションマークの読取位置を特定する。
【００４１】
図５に示すとおり、画像読取装置４２２の上流側には、その回転数から基材３０３の搬送量を算出するためのエンコーダ５２２（ロータリエンコーダ）が設置されている。また、画像読取装置４２２とエンコーダ５２２との間には、搬送エレメント４０１から搬送されてきた基材３０３の先端を検出するための入基材センサ５２３が配設されている。
【００４２】
電子制御部４０４は、入基材センサ５２３による基材３０３の検出をトリガとして、エンコーダ５２２の出力パルスを取得し、基材３０３の搬送位置を算出する。そして、基材３０３の位置に基づいて、画像読取装置４２２の撮像タイミング、インクジェットヘッドユニット４２３による活性エネルギー線硬化性インクの吐出タイミング、活性エネルギー線照射装置４２４による活性エネルギー線の照射タイミングを設定する。
【００４３】
図７に示されるように、画像読取装置４２２は、ベルト搬送機構４２１の上方にて基材の幅方向に離間して配置される一対のイメージセンサ７２４、７２５を含む。これらのイメージセンサ７２４、７２５は、ＣＣＤ（Charge Coupled Device）センサが好ましいが、ＣＭＯＳ（Complementary Metal-Oxide-Semiconductor）センサ、その他のイメージセンサにて構成してもよい。
【００４４】
イメージセンサ７２４は、基材３０３の幅方向（図中縦方向）の一端側に固定され、イメージセンサ７２５は、基材３０３の幅方向の他端側において、基材３０３の幅方向に可動に設けられている。すなわち、イメージセンサ７２５を基材の幅方向に移動することにより、基材３０３の大きさに応じてイメージセンサの間隔を調整することができる。イメージセンサ７２４、７２５は、エンコーダ５２２によって算出される基材３０３の位置に基づき、所定のタイミングで撮像する。撮像タイミングは、記憶部８４４に記憶されたレジストレーションマーク６０１の理論位置に基づいて、事前に決定されている。このとき、レジストレーションマークの理論位置のうち、縦方向または横方向で対向する対向辺近傍に、一対のレジストレーションマークが存在している場合に、その理論位置をイメージセンサ７２４、７２５による撮像位置とする。
【００４５】
電子制御部４０４は、記憶部８４４に記憶されたレジストレーションマーク６０１の理論位置と、撮像画像中に含まれるレジストレーションマーク６０１の実測位置との「ずれ」を認識する。インクジェットヘッド７２６による活性エネルギー線硬化性インクの吐出位置を、認識した「ずれ」に応じて修正することにより、下地画像３０２と、コーティングプリント画像とを正しく位置合わせすることが可能となる。基材３０３がイメージセンサ７２４、７２５を通過中、レジストレーションマーク６０１の理論位置に基づいて、イメージセンサ７２４、７２５により連続的に撮像した撮像画像からレジストレーションマーク６０１の実測位置を取得すべき画像を選択してもよい。
【００４６】
なお、図６ではレジストレーションマーク６０１が、基材の両長辺に沿って一直線上に等間隔で配置されているが、この配置は一例であり、必ずしも等間隔でなくても、一直線上でなくてもよい。要するに、イメージセンサ７２４、７２５で読み取ることができ、あらかじめ記憶した理論位置と比較し、「ずれ」を認識できればよい。
【００４７】
インクジェットヘッドユニット４２３は、基材３０３に対して活性エネルギー線硬化性インクを吐出する３つのインクジェットヘッド７２６を備える。これら３個のインクジェットヘッド７２６は、いわゆる「記録ヘッド」として機能する。インクジェットヘッド７２６から吐出された活性エネルギー線硬化性インクは、活性エネルギー線照射装置４２４から照射される活性エネルギー線によって、硬化する。
【００４８】
インクジェットヘッドユニット４２３は、その温度を一定に保つためのヒータ７２７を備えている。インクジェットヘッドユニット４２３が備えているヒータ７２７の配置は、インクジェットヘッドユニット４２３の温度を一定に保つことができれば、特に制限されるものではない。つまり、ヒータ７２７をインクジェットヘッドユニット４２３の外部に設置しても、その内部に設置してもよいし、内部と外部の両方に設置してもよい。
【００４９】
インクジェットヘッドユニット４２３は、ベルト搬送機構４２１上に配置されている。インクジェットヘッドユニット４２３には、ベルト搬送機構４２１によって、搬送される基材の搬送直交方向に各々ノズルが均等に並ぶようにインクジェットヘッド７２６が列設されている。さらに、インクジェットヘッド７２６は、隣接するインクジェットヘッド７２６との間において、隙間が発生しないようにオーバーラップして配置されている。
【００５０】
インクジェットヘッド７２６の数は３つに限定されるものではなく、２つでもよいし、４つ以上設けてもよい。一方で、インクジェットヘッド７２６は、基材３０３の幅方向に長い単一のインクジェットヘッド７２６であってもよい。また、インクジェットヘッド７２６が有する吐出孔は、基材の幅方向と所定角度傾いて配置されていてもよい。すなわち、インクジェットヘッド７２６が有する吐出孔は、基材の搬送方向と非平行である所定方向に並ぶように配置されてもよい。また、インクジェットヘッド７２６としては、２ライン以上を有し、同時に活性エネルギー線硬化性インクを吐出するインクジェットヘッド７２６が用いられてもよい。
【００５１】
活性エネルギー線照射装置４２４は、上流側から搬送された基材３０３上に塗布された活性エネルギー線硬化性インクに対して活性エネルギー線を照射することにより、そのインク層を硬化させる。
【００５２】
図８は、インクジェット記録装置２０３の電子制御部４０４を中心とする電気的構成を示す機能ブロック図である。これらの機能は、各種演算処理を実行するＣＰＵ（Central Processing Unit）、各種制御プログラムを格納するＲＯＭ(Read Only Memory)、データ格納やプログラム実行のためのワークエリアとして利用されるＲＡＭ(Random Access Memory)などのハードウェア、およびソフトウェアの連携によって実現される。したがって、これらの機能ブロックはハードウェアおよびソフトウェアの組合せによって様々な形で実現することができる。
【００５３】
電子制御部４０４は、データ取得部８４１、補正部８４２、吐出制御部８４３、および記憶部８４４を有する。
【００５４】
データ取得部８４１は、通信ユニット８０１を介して情報処理装置２０１から、コーティング画像データ（色、位置、形状、厚さに関する情報を含む）を取得する。
【００５５】
記憶部８４４は、データ取得部８４１が取得した下地画像の画像データ（いわゆるＣＭＹＫデータ）およびコーティングプリント画像の画像データ（いわゆるニス版、特色版）を記憶する。記憶部８４４は、また、複数のレジストレーションマーク６０１の基材３０３上の印刷位置とその形状に関する情報を記憶する。
【００５６】
吐出制御部８４３は、記憶部８４４に記憶されたコーティング画像データを参照して、下地画像が施された基材３０３上に活性エネルギー線硬化性インクをコーティングするように当該インクの吐出量を制御する。
【００５７】
補正部８４２は、記憶部８４４から読出したレジストレーションマークの理論位置と、イメージセンサ７２４、７２５で読み取った実際のレジストレーションマークの読取位置とに基づいてコーティング画像データを補正する。
【００５８】
補正部８４２は、画像処理によって導き出されたレジストレーションマークの理論位置と基材を読み取ることにより取得された読取位置との差分を算出し、コーティング画像データに対して、その差分を補填するための位置補正処理を実行する。
【００５９】
吐出制御部８４３は、補正部８４２で補正された後のコーティング画像データに基づいて、インクジェットヘッドユニット４２３の活性エネルギー線硬化性インクの吐出量の制御を実行する。
【００６０】
電子制御部４０４には、通信ユニット８０１を介して情報処理装置２０１から取得した信号および、操作パネル４２７からの信号が入力される。この操作パネル４２７には、コーティング印刷処理を開始させるためのスタートスイッチ、コーティング印刷処理を停止させるためのストップスイッチ等、種々のスイッチが含まれる。
【００６１】
電子制御部４０４には、また、エンコーダ５２２、入基材センサ５２３、イメージセンサ７２４、７２５等からの検出信号が入力される。電子制御部４０４は、それらのスイッチ・センサ入力に基づいて、給基材制御、搬送制御、活性エネルギー線硬化性インクの吐出制御、活性エネルギー線の照射制御等のための所定の演算処理を実行する。また、電子制御部４０４は、搬送エレメント４０１、ベルト搬送機構４２１、インクジェットヘッドユニット４２３、活性エネルギー線照射装置４２４等に制御指令信号を出力する。
【００６２】
図９は、インクジェット記録装置２０３を用いて形成された印刷物９００の一例を示す図である。図１０は、図９の一部を拡大した拡大図である。
【００６３】
図１０に示すとおり、印刷物９００は、下地画像と略同一形状を維持しつつ、垂直方向に盛り上がった立体的形状を備えたコーティングプリント画像１００１と、下地画像と異なる形状および位置に形成されたコーティングプリント画像１００２とを含む。
【００６４】
＜情報処理装置の構成＞
図１１は、情報処理装置２０１の内部構成を示すブロック図である。情報処理装置２０１は、ＧＵＩ(Graphic User Interface)表示制御部１１０１、画像データ指定部１１０２、プレビュー画像生成部１１０３、画像編集アプリケーション呼出部１１０４、レジストレーションマーク理論位置生成部１１０５を有する。また情報処理装置２０１は、さらに、パラメータ入力部１１０６、厚み上限設定部１１０７、厚み階調決定部１１０８、閾値変更部１１１１、厚み設定部１１１２、コスト算出部１１１３およびジョブ送信部１１１４を備える。
【００６５】
これらの機能は、各種演算処理を実行するＣＰＵ（Central Processing Unit）、各種制御プログラムを格納するＲＯＭ(Read Only Memory)、データ格納やプログラム実行のためのワークエリアとして利用されるＲＡＭ(Random Access Memory)などのハードウェア、およびソフトウェアの連携によって実現される。したがって、これらの機能ブロックはハードウェアおよびソフトウェアの組合せによって様々な形で実現することができる。
【００６６】
情報処理装置２０１は、以上の機能を用いて、画像データにおける領域と、基材に対するコーティング印刷の厚み（コーティング厚）と、の対応関係を調整するためのグラフィックユーザインタフェースを提供する。図１２は、グラフィックユーザインタフェース１２００の一例を示す図である。
【００６７】
ＧＵＩ表示制御部１１０１は、図１２に示すユーザインタフェース１２００をディスプレイ２０５に提供する。
【００６８】
画像データ指定部１１０２は、ユーザインタフェース１２００に対するユーザの入力に従い、画像データベース１１２０に格納された画像データから、コーティング印刷用の画像データを指定する。プレビュー画像生成部１１０３は、画像データ指定部１１０２によって指定された画像データを用いてプレビュー画像を生成する。
【００６９】
画像編集アプリケーション呼出部１１０４は、ユーザインタフェース１２００に対するユーザの入力に従い画像データ指定部１１０２によって指定された画像データを編集するためのアプリケーションを呼び出す。
【００７０】
図１３Ａに示すように、レジストレーションマーク理論位置生成部１１０５は、レジストレーションマークを含むと想定されるレジスト画像データ１３０１の部分部位を画像処理することによってレジストレーションマークの理論位置データを生成する。これにより多数のレジストレーションマークが含まれる画像であっても、容易かつ高速にそれぞれの理論位置データを導き出すことができる。
【００７１】
レジスト画像データ１３０１は、コーティング印刷の前にあらかじめ印刷される下地画像を表わす下地画像データ１３０２であってもよい。この場合、下地画像データ１３０２は、あらかじめ断裁位置指定マークやレジストレーションマーク６０１などを描画したテンプレート画像（枠画像）１３０３に対して、下地として印刷すべき画像データ１３０７が付加されたものであってもよい。
【００７２】
また、レジスト画像データ１３０１は、コーティング印刷の対象となるコーティング画像を表わす上地画像データ１３０４であってもよい。その場合、ユーザは、下地画像と上地画像とを別々に読み取らせる必要がないため、手間を省くことが可能となる。またこの場合、レジスト画像データ１３０１は、あらかじめ断裁位置指定マークやレジストレーションマーク６０１などを描画したテンプレート画像（枠画像）１３０３に対して、コーティング画像１３０５が付加されたものであってもよい。
【００７３】
レジスト画像データ１３０１は、あらかじめ断裁位置指定マークやレジストレーションマーク６０１などを描画したテンプレート画像（枠画像）１３０３そのものであってもよい。
【００７４】
レジスト画像データ１３０１は、コーティング印刷の対象となるコーティング画像１３０５を表わす上地画像データ１３０４から生成されたインク吐出データ１３０６であってもよい。
【００７５】
ここで採用される画像処理は、ブロブ解析法、特徴点抽出法、明暗比較法、パターンマッチング、形状寸法演算比較法のいずれかに１つを含む。
【００７６】
形状寸法演算比較法として、レジストレーションマークらしい画像の面積および外周長を求めることにより、レジストレーションマークか否かを判定する方法を採用してもよい。例えば、レジストレーションマークの外形が円の場合、レジスト画像データを２値化して輪郭抽出した輪郭の周長Ｃの二乗のc2=4(πr)2を面積の４倍の4πr2で割って、πに近いか否かでその輪郭が円か否か判定する。
【００７７】
つまり、レジスト画像データを２値化した後、輪郭抽出処理を行ない、抽出した外形輪郭の面積と外周長との関係性が所定の関係になっているかを判定する（外形輪郭判定）。面積と外周長との関係性が所定の関係になっている場合には、明暗比較法によるパターンマッチングを用いて、外形輪郭内に所定の特徴的形状が含まれるかを判定する（内部形状判定）。
【００７８】
例えば、レジストレーションマークが丸に十字であるときには、存在するはずの十字よりも小さい十字画像とのパターンマッチングを行なうことにより、より精度よく、レジストレーションマークを認識することができる。また、レジストレーションマークが丸に十字であるときには、丸の内部を分割している４つの形状をパターンマッチングしてもよい。
【００７９】
レジストレーションマークらしい画像の重心を求めてレジストレーションマークの理論位置を数値として導き出してもよい。
【００８０】
レジストレーションマークは、所定角度(３６０度未満)回転すると、回転前の元のマークと重なる形状であるため、所定の角度範囲（例えば１０度程度）において画像処理を行なえば十分である。
【００８１】
レジストレーションマーク理論位置生成部１１０５は、レジスト画像データにおいて、レジストレーションマークの抽出処理を行う方向および範囲を自動認識する（図１３Ａ参照）。特に方向については、ユーザが特定した用紙サイズに基づいて決める。
【００８２】
レジストレーションマークの抽出処理を行なう範囲が見えるようなユーザインタフェースをプレビュー画面に表示してもよい。
【００８３】
レジストレーションマークが丸の内部に重心を通る直線を加えたマークであれば、上述の画像処理により認識しやすいという利点がある。
【００８４】
画像処理の際、範囲および方向を指定可能とすることにより、レジスト画像データ全体に対して画像処理を行う場合に比較して、大幅に処理時間を短縮することができる。
【００８５】
レジストレーションマークは、印刷完了後に切り落とされる周縁部に形成されることが多い。その場合は、レジストレーションマークが存在する周縁部のみを画像処理するように指定すればよい。例えば図６のように幅方向に対になって形成されている場合は、幅方向の両端部（図６の上下端部）のみを画像処理対象とすればよい。レジストレーションマーク理論位置生成部１１０５は、ユーザが特定した用紙サイズに基づいて、両端部のみの領域でレジストレーションマークを自動認識し抽出処理を行なう。あるいはレジスト画像データが表示されたユーザインタフェース上でユーザが指定できるようにしてもよい。例えばレジストレーションマーク理論位置生成部１１０５は、ユーザが指定した矩形範囲内で抽出処理を行う。レジストレーションマーク理論位置生成部１１０５は、ユーザが指定した矩形範囲の境界を示す境界座標をあらかじめ取得し、その境界座標を用いて、抽出したレジストレーションマークの位置を、レジスト画像全体の中での座標に換算すればよい。
【００８６】
元々、レジストレーションマークは下地画像と同時に印刷されるから、下地画像に含まれているとも言える。その下地画像をオブジェクト解析することによって、所定形状のレジストレーションマークが下地画像のどこに位置しているのかを解析し、レジストレーションマークの理論位置を特定する。
【００８７】
本実施形態において、レジストレーションマーク理論位置生成部１１０５は、上記のように特定されたレジストレーションマークの理論位置（補正部８４２の比較対象）から、レジストレーションマークに似ているが実際にはレジストレーションマークではない画像によってレジストレーションマークの理論位置として誤って特定されたものを、除くためのフィルタリングを行う。
【００８８】
本実施形態において、レジストレーションマークは、基材３０３の両長辺に沿った二直線のそれぞれに等間隔に配置され、短辺方向の中心を通る線に関して線対称に配置されている（図６参照）。したがってレジスト画像データのレジストレーションマークの位置も同様に配置されている。すなわち、矩形のレジスト画像データの直交する二辺の方向を各々Ｘ方向、Ｙ方向としたとき、Ｙ方向の両辺に沿った二直線のそれぞれに等間隔に配置され、Ｘ方向の中心を通る線に関して線対称に配置されている。したがって、この二直線上から大きく外れた位置には、レジストレーションマークは存在していないはずである。したがって特定された理論位置のうち、二直線上から大きく外れたものを、補正部８４２の比較対象から除く。
【００８９】
レジストレーションマーク理論位置生成部１１０５は、特定された複数のレジストレーションマークの理論位置から、レジストレーションマークが並んだ二直線のＸ方向の位置を特定する。具体的には、レジストレーションマークが最も多く現れるＸ方向の位置を、その一直線の位置と特定する。そして、レジストレーションマークの理論位置のうち、特定された二直線からＸ方向に大きく外れたものを補正部８４２の比較対象から除く。二直線からのＸ方向のずれ量が所定ピクセル以内のものは、画像処理の際のＲＩＰ処理時の誤差あるいはデザイン時のミス等により生じたと考えられるので、補正部８４２の比較対象とする。また、本実施形態では、補正部８４２は、対称に配置された一対のレジストレーションマークの読み取り位置を利用してコーティング画像データを補正する。すなわち、対になるものがないレジストレーションマークは補正に使用することができないので、これを補正部８４２の比較対象から除く必要がある。そこで、レジストレーションマーク理論位置生成部１１０５は、特定された複数のレジストレーションマークの理論位置に対し、Ｘ方向の対称位置（真の対称位置からＸ，Ｙ方向に所定ピクセル以内の範囲）に、対となるべきレジストレーションマークが存在するか否かを判定し、対となるべきレジストレーションマークが存在していない場合には、補正部８４２の比較対象から除く。例えば、デザイナーの作業ミスや、デザイナーが使用するツールやデザイン後の処理を行うワークフローツールの処理により、レジストレーションマークが削除されたりして、一対になるものがなくなった場合には、レジストレーションマークがそもそもなかったものと判断して、比較対象位置（撮像位置）から排除する。
【００９０】
パラメータ入力部１１０６は、ユーザインタフェース１２００を介して、様々なパラメータを入力する。厚み上限設定部１１０７は、パラメータ入力部１１０６が入力したコーティング印刷の厚みの上限値（例えば２０μｍ〜８０μｍ）を設定する。厚み階調決定部１１０８は、厚み上限設定部１１０７が設定したコーティング厚の上限値に応じて、コーティング印刷の厚みの階調を決定する。例えば、コーティング厚の上限値が２０μｍであれば、コーティング無し（０μｍ）と２０μｍの２階調となる。例えば、コーティング厚の上限値が８０μｍであれば、コーティング無し（０μｍ）、２０μｍ、３０μｍ、４０μｍ、５０μｍ、６０μｍ、７０μｍ、８０μｍの８階調となる。１０μｍは本実施形態では設定がないが、需要に応じて１０μｍを含むように設定してもよい。
【００９１】
閾値変更部１１１１は、パラメータ入力部１１０６の入力に応じて、コーティング厚調整用の閾値（画素値）を変更する。厚み設定部１１１２は、画像データ指定部１１０２が指定した画像データにおいて、閾値変更部１１１１が設定した閾値以上の画素値を有する画像領域と、その閾値より少ない画素値を有する画像領域とで、異なるコーティング厚を設定する。
【００９２】
コスト算出部１１１３は、厚み設定部１１１２で設定されたコーティング厚で画像データに対応するコーティング印刷を行なった場合のコストを算出する。
【００９３】
ジョブ送信部１１１４は、厚み設定部１１１２で設定された画像領域に対して、厚み設定部１１１２で設定されたコーティング厚でコーティング印刷を行なうようにインクジェット記録装置２０３を制御する。
【００９４】
＜ユーザインタフェースの構成＞
図１２は、ユーザインタフェース１２００の一例を示す図である。
【００９５】
用紙サイズボタン１２０１は、不図示の用紙サイズ設定ダイアログボックスを立ち上げ、用紙サイズリストから用紙サイズを選択する、またはカスタムサイズを設定するためのボタンである。
【００９６】
画像データボタン１２０２は、画像データを指定するためのボタンであり、このボタンの選択により、画像データ指定部１１０２は、情報処理装置２０１の画像データベース１１２０に格納された画像データから、コーティング印刷用の画像データを指定する。
【００９７】
レジスト理論位置生成ボタン１２０３が選択されると、レジストレーションマーク理論位置生成部１１０５が、不図示のダイアログボックスを立ち上げ、入力される画像データを画像処理して、レジストレーションマークの理論位置データを生成して保存する。
【００９８】
補正モードボタン１２０５は、レジストレーションマークを用いて、コーティング印刷の位置を補正する際の補正モードを指定するためのボタンである。プルダウンメニューにより、「リアルタイム」、「先端後端」、「先端」、「手動」を選択できる。リアルタイム補正では、搬送されてくる基材に印刷されている全てのレジストレーションマークを読んで、画像データ中のレジストレーションマークデータと照合する。先端／後端補正では、搬送されている基材の先端と後端のレジストレーションマークだけを読み、画像データ中のレジストレーションマークデータと照合する。先端補正では、搬送される基材の先端のレジストレーションマークだけを読み、画像データ中のレジストレーションマークデータと照合する。「手動」は、搬送される基材にレジストレーションマークが印刷されていない場合に使用する。
【００９９】
仕上がり厚さ設定用スライドバー１２０６は、コーティング厚の上限を設定するためのスライドバーであり、ハンドル１２６１を左右に移動させることができる。ハンドル１２６１の位置に応じて、厚み上限設定部１１０７は、コーティング厚の上限値（例えば２０μｍ〜８０μｍ）を設定し、厚み階調決定部１１０８は、コーティング印刷の厚みの階調(ここでは２階調から８階調)を決定する。
【０１００】
プレビュータブ１２０７は、プレビュー画面を表示させるためのものであり、画像データボタン１２０２で指定された画像データに対応する画像が表示エリア１２０８に表示される。ここでは、コーティング印刷用の画像データに対応する画像のみを表示しているが、下地印刷用の画像データを読み出し、下地画像を、コーティング画像と同時に表示させてもよい。例えば、コーティング画像を透過表示して、下地画像と重畳表示してもよいし、コーティング画像と下地画像とを並列表示してもよい。
【０１０１】
画像編集ボタン１２０９は、プレビュー表示された画像を編集するアプリケーションを呼出すためのボタンであり、このボタンの選択に応じて、画像編集アプリケーション呼出部１１０４は、画像データを編集するためのアプリケーションを呼出す。
【０１０２】
画像再読み込みボタン１２１０は、プレビュー表示された画像を再読み込みさせるためのボタンである。また、印刷コスト確認ボタン１２１１は、不図示の印刷コスト確認ダイアログボックスを表示させるためのボタンである。印刷コスト確認ダイアログボックスでは、コーティング用インクの値段および印刷枚数を入力することができ、入力された数値に応じて、設定されたコーティング厚でコーティング印刷した場合の印刷コストを算出し、表示する。
【０１０３】
厚さしきい値タブ１２１２は、コーティング厚調整用の閾値（画素値）を変更する画面を表示エリア１２０８に表示させるためのタブである。
【０１０４】
リストボタン１２１３は、ジョブの履歴とジョブリストを表示するボタンである。開くボタン１２１４は、保存したジョブを開いてジョブウィンドウに表示するボタンである。保存ボタン１２１５は、作成したジョブを保存するボタンである。新規ボタン１２１６は、新規ジョブを作成するボタンである。送信ボタン１２１７は、ジョブウィンドウに表示しているジョブをインクジェット記録装置２０３に送信するボタンである。
【０１０５】
機能ボタン１２１８は、インクジェット記録装置２０３の電源オンオフや、活性エネルギー線照射装置４２４の照射時間の設定や、省エネ設定、給紙テスト枚数の設定等を行なうためのボタンである。
【０１０６】
モニタボタン１２１９は、インクジェット記録装置２０３の状態をモニタするためのボタンであり、このボタンの選択により、エラー発生の有無やエラー発生個所、エラーコード、インクの残量などを表示する。
【０１０７】
送信ボタン１２１７によってジョブのインクジェット記録装置２０３に対する送信が成功すると、アクションボタン１２２１〜１２２８がカラー表示になり、選択可能となる。ここで、給紙テストボタン１２２１は、印刷はせず、設定したシート枚数の給紙を行なうためのボタンである。テストボタン１２２２は、全ての処理を１シートだけ行なうボタンである。スタートボタン１２２３は、印刷処理を開始するためのボタンである。ストップボタン１２２４は、印刷処理を停止するためのボタンである。数値入力ボタン１２２５は、数値入力画面を表示させて、シート枚数を入力するためのボタンである。カウントクリアボタン１２２６は、印刷処理済み枚数またはシート枚数をクリアするためのボタンである。カウント方法切換ボタン１２２７は、印刷処理済み枚数の表示形式を加算または減算の間で切り換えるためのボタンである。カウントリピート設定ボタン１２２８は、カウントリピートのオン、オフを設定するボタンであり、オンの場合、セット部数分の印刷処理が完了したらインクジェット記録装置２０３が自動で停止する。オフの場合、印刷処理が完了したらインクジェット記録装置２０３の処理済み部数をクリアし、ウェイティングモードに入る。
【０１０８】
上記送信ボタン１２１７の操作からウェイティングモードに入るまでの一連の動作を基材に印刷または張り付けられた、識別情報を用い自動で行ってもよい。
【０１０９】
＜処理の流れ＞
印刷システム２００の処理の流れについて、図１３Ｂのフローチャートを用いて説明する。
【０１１０】
まず、ステップＳ１３０１では、インクジェット記録装置２０３用の制御アプリケーションを立ち上げる。これによりユーザインタフェース１２００が表示される。次にステップＳ１３０３において、ユーザインタフェース１２００への入力に基づいて、用紙サイズ、コーティング印刷用画像データ、レジスト画像データを指定する。さらにステップＳ１３０５では、仕上がり厚さ設定用スライドバー１２０６におけるハンドル１２６１の位置に応じて厚み上限設定部１１０７が厚さの上限値を設定する。
【０１１１】
ステップＳ１３０７では、厚さしきい値タブ１２１２を選択して、コーティング厚調整用の閾値（画素値）を変更し、コーティング厚さを設定する。
【０１１２】
ステップＳ１３０９では、必要に応じて画像の編集を行ない、コストを確認した後、画像データに厚さデータを統合し、ステップＳ１３１１では、ユーザ指示に応じてインクジェット記録装置２０３に統合データを送信する。
【０１１３】
さらに、印刷システム２００における画像処理の流れについて、図１４のフローチャートを用いて説明する。
【０１１４】
ステップＳ１４０１では、ニス版と呼ばれるコーティング印刷用の画像データ（前述のコーティング画像、例えばＰＤＦやＴＩＦＦ形式もの）を取得する。
【０１１５】
次にステップＳ１４０３では、ニス版に対してＲＩＰ（Raster image processor）処理としてのレンダリング処理を施し、ラスターイメージ（ビットマップ画像）を生成し、厚みの設定情報の基準となる画素値を取得する。
【０１１６】
さらにステップＳ１４０５では、スクリーニング処理を施し、画素値としきい値に基づいた厚みで印刷されるように、実際にインクジェットヘッド７２６へ送るデータへ変換する。
【０１１７】
一方、情報処理装置２０１は、ステップＳ１４０７においてレジスト画像（下地画像＋レジストレーションマーク）を取得すると、ステップＳ１４０９において画像処理を施し、レジストレーションマークの理論位置データ１４１０を生成する。
【０１１８】
さらにステップＳ１４１１において、別途ＣＣＤセンサにより読み取られたレジストレーションマークの読取位置データ１４１２と、理論位置データ１４１０とを比較することにより、スクリーニング処理後の吐出データに対して補正処理を施す。
【０１１９】
そして、ステップＳ１４１３において、吐出データに基づいた吐出処理を行なう。
【０１２０】
以上の構成によれば、非常に容易かつ簡便に、レジストレーションマークの理論位置を求めることができ、ユーザの煩雑な操作を要求することなく、高精度なコーティング印刷を行なうことが可能となる。
【０１２１】
［第３実施形態］
次に本発明の第３実施形態に係るインクジェット記録装置における画像処理の流れについて図１５のフローチャートを用いて説明する。本実施形態に係るインクジェット記録装置は、上記第２実施形態と比べると、ステップＳ１５０１において、あらかじめレジストレーションマークが配されたテンプレート画像データを取得する。そして、ステップＳ１５０２において、テンプレート画像データに対して画像編集を行ない、ニス版を生成する点で異なる。ステップＳ１５０７では、テンプレート画像データそのもの、または、テンプレート画像データにコーティング画像を追加した上地画像データを、レジスト画像データとして取得する。つまり、そのようなテンプレート画像データまたは上地画像データをレジストレーションマークの理論位置データ１４１０を生成する画像処理の対象としている。
【０１２２】
以上の処理を行なうことにより、ユーザが煩雑な操作を行なわなくとも、正確なレジストレーションマークの理論位置を取得することができ、より高精度な画像記録が可能となる。
【０１２３】
［第４実施形態］
次に本発明の第４実施形態に係るインクジェット記録装置１６００について、図１６を用いて説明する。図１６は、本実施形態に係るインクジェット記録装置１６００の外観を示す図である。本実施形態に係るインクジェット記録装置１６００は、上記第２実施形態と比べると、図１２に示したユーザインタフェース１２００を表示するディスプレイ１６０１を有し、図１１に示したレジストレーションマーク理論位置生成部１１０５を内蔵する点で異なる。その他の構成および動作は、第２実施形態と同様であるため、同じ構成および動作については同じ符号を付してその詳しい説明を省略する。
【０１２４】
本実施形態によれば、ユーザ１６５０は、インクジェット記録装置１６００を直接操作して、簡易かつ直感的に、高精度なコーティング印刷を行なうことが可能となる。
【０１２５】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【０１２６】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2019111813.tif 000003
【図２】
2019111813.tif 000004
【図３】
2019111813.tif 000005
【図４】
2019111813.tif 000006
【図５】
2019111813.tif 000007
【図６】
2019111813.tif 000008
【図７】
2019111813.tif 000009
【図８】
2019111813.tif 000010
【図９】
2019111813.tif 000011
【図１０】
2019111813.tif 000012
【図１１】
2019111813.tif 000013
【図１２】
2019111813.tif 000014
【図１３Ａ】
2019111813.tif 000015
【図１３Ｂ】
2019111813.tif 000016
【図１４】
2019111813.tif 000017
【図１５】
2019111813.tif 000018
【図１６】
2019111813.tif 000019